(57)【要約】【課題】受電コイルから発生する磁気ノイズの影響を受けやすいＩＣ等の電子回路部品の破損、誤作動を防止し、部品のレイアウトの制約を抑えることができる撮像装置を提供する。【解決手段】充電器１６に載置されているときに、充電器１６で発生させた磁界によって誘導起電力が生じる受電コイル１４を備える撮像装置は、底面を覆う導電材料からなる外装体１１と、外装体１１の上方に設けた導電材料からなるプレート１２とを備える。そして、受電コイル１４を、外装体１１とプレート１２との間の空間に配置するとともに、受電コイル１４の周囲を、外装体１１とプレート１２のいずれか一方または両方で遮蔽する。【選択図】図６
2010079017.tif 000002
【特許請求の範囲】
【請求項１】
充電器に載置されているときに、前記充電器で発生させた磁界によって誘導起電力が生じる受電コイルを備える撮像装置において、
前記撮像装置の底面を覆う導電材料からなる外装体と、
前記外装体よりも前記撮像装置の内部側に設けた導電材料からなるプレートとを備え、
前記受電コイルを、前記外装体と前記プレートで囲まれる空間に配置することを特徴とする撮像装置。
【請求項２】
前記プレートには前記撮像装置を三脚に取り付ける三脚座が設けられ、前記受電コイルを、前記三脚座の周囲に配置することを特徴とする請求項１記載の撮像装置。
【請求項３】
前記受電コイルを、前記三脚座の周囲に複数配置することを特徴とする請求項２記載の撮像装置。
【発明の詳細な説明】
【技術分野】
【０００１】
本発明は、撮像装置に関し、特に、電磁力により充電される２次電池を電源とする撮像装置に関する。
【背景技術】
【０００２】
従来、撮影画像を記録する撮像装置の電源は、充電可能な２次電池を用いるのが一般的であり、特許文献１では、充電器を用いて充電する撮像装置の電源システムに関する技術が開示されている。
【０００３】
即ち、特許文献１に開示された技術では、電源を２次電池とする撮像装置の電源システムにおいて、２次電池を撮像装置に装着したままで、電磁誘導により２次電池を無接点で充電することを可能としている。
【０００４】
また、特許文献２では、撮像装置に対して無接点充電を行っているときに、撮像装置内部の受電コイルが発生する磁気ノイズにより、撮像装置内部のＩＣ等の電子回路部品が破損したり、誤作動することを防ぐ技術が開示されている。
【０００５】
即ち、撮像装置の背面から見て右半分側には、充電器から発生した磁界により起電力を生じさせるコイル、充電制御部を構成する部品が搭載された充電制御基板、コンデンサ等の、充電時に生じる磁界による悪影響が少ない部品が配置されている。一方、左半分側には、撮像デバイスを構成するＩＣ、Ａ／Ｄ変換部を構成するＩＣ等、磁界による悪影響を受けやすいＩＣを配置している。
【特許文献１】特開平７−１４６１５号公報
【特許文献２】特開２００３−７９０７５号公報
【発明の開示】
【発明が解決しようとする課題】
【０００６】
しかしながら、上記特許文献１に開示の技術においては、電磁誘導により２次電池を充電するため、ＣＣＤ等の撮像素子や信号処理回路等のＩＣを搭載した撮像装置等に適用した場合、ＩＣに強い磁力が加わり、ＩＣが破損、誤作動してしまう恐れがある。
【０００７】
また、上記特許文献２に開示の技術においては、撮像装置を構成する部品について、撮像装置内部でのレイアウトに制約が発生し、結果的に、撮像装置の大型化を招くことが懸念される。
【０００８】
本発明の目的は、受電コイルから発生する磁気ノイズの影響を受けやすいＩＣ等の電子回路部品の破損、誤作動を防止し、部品のレイアウトの制約を抑えることができる撮像装置を提供することにある。
【課題を解決するための手段】
【０００９】
上記目的を達成するために、本発明の撮像装置は、充電器に載置されているときに、前記充電器で発生させた磁界によって誘導起電力が生じる受電コイルを備える撮像装置において、前記撮像装置の底面を覆う導電材料からなる外装体と、前記外装体よりも前記撮像装置の内部側に設けた導電材料からなるプレートとを備え、前記受電コイルを、前記外装体と前記プレートで囲まれる空間に配置することを特徴とする。
【発明の効果】
【００１０】
本発明の撮像装置によれば、受電コイルから発生する磁気ノイズの影響を受けやすいＩＣ等の電子回路部品の破損、誤作動を防止し、部品のレイアウトの制約を抑えることができる。
【発明を実施するための最良の形態】
【００１１】
以下、本発明を図面を参照しながら詳細に説明する。
【００１２】
図１は、充電器の概略斜視図である。
【００１３】
後述する撮像装置１内の充電池に非接触にて充電するための充電器１６の内部にはＣＰＵ１９が設けられており、これにより各部の制御が行われる。
【００１４】
ＣＰＵ１９によって制御されるＡＣ−ＡＣコンバータ１７は、家庭用の交流電源（例えば、１００Ｖ，５０Ｈｚ）を充電に好適な周波数・電圧（例えば、１０Ｖ，１００ｋＨｚ）に変換するものである。
【００１５】
また、充電器１６には、家庭用のコンセントから充電器１６に電源を供給するためのソケット２０、撮像装置１に充電するための送電コイル１８等も設けられている。
【００１６】
また、充電器１６は、その中央部に、撮像装置１が設置可能な開口部が設けられており、撮像装置１が充電器１６に載置されると、充電器１６の送電コイル１８と撮像装置１内の受電コイル１４とが互いに対向する位置に配置される構成となっている。
【００１７】
図２は、本発明の実施の形態に係る撮像装置の正面側からの外観斜視図である。
【００１８】
図２において、撮像装置１は、撮影動作の開始を指示するレリーズ釦２、撮像素子３、ボディ前面に撮影レンズを取り付けるためのレンズマウント部４、モードダイアル５、第１の液晶表示装置６を備える。
【００１９】
モードダイアル５は、撮影者が撮像装置１の撮影モードを設定するダイアルであり、例えば、オート撮影モード、マニュアル撮影モード、セルフタイマ撮影モード、再生モード等を選択する。第１の液晶表示装置６は、撮影者に、撮影時のＩＳＯ感度等の撮影情報を表示する。
【００２０】
図３は、本発明の実施の形態に係る撮像装置の背面側からの外観斜視図である。
【００２１】
図３において、撮像装置１の背面には、各種機能選択画面に移行させるためのメニュー釦７、撮影範囲を目視で確認するためのファインダ８、第２の液晶表示装置９、電子ダイアル１０が設けられている。
【００２２】
第２の液晶表示装置９は、動作モード、画質、バッテリ残量、撮影可能枚数等撮像装置の現在の設定を、また、撮影後の撮影画像を表示する。電子ダイアル１０は、撮影条件設定時に使用することが可能である。
【００２３】
また、撮像装置１の底面を覆う導電材料からなる外装体１１には、撮像装置１の電源である２次電池を収容する収容口１３、撮像装置１を三脚（不図示）に固定するための三脚座１２ｂが設けられている。
【００２４】
図４は、図３における三脚座１２ｂ付近の構成を示す撮像装置内部側からの斜視図である。
【００２５】
図４において、三脚座１２ｂは、撮像装置１の底面に配置されているプレート１２と一体化あるいはプレート１２にネジにより固定されている。三脚座１２ｂを含む導電性を有するプレート１２は、撮像装置１の剛性向上にも寄与しており、充分な厚さを備えている。
【００２６】
また、プレート１２には、プレート１２を撮像装置内部の固定部材（不図示）に固定するための、ネジ穴１２ｃが複数設けられている。
【００２７】
図５は、図４におけるプレート１２の下部の構成を示す撮像装置内部側からの斜視図である。
【００２８】
図５において、電磁誘導作用を利用する非接触式の充電方式における受電コイル１４は、撮像装置１が充電器１６に載置されているときに、充電器１６で発生させた磁界によって誘導起電力が生じる。
【００２９】
外装体１１に設けられた穴１１ｂは、三脚座１２ｂが外装体１１より外側に突出するための貫通穴である。
【００３０】
外装体１１には、受電コイル１４の周囲を取り巻くように、リブ１１ａが設けられており、また、外装体１１は接地されているため、電位が０であり、受電コイル１４から発生する磁気ノイズを、撮像装置内部に対して遮蔽する機能を持っている。
【００３１】
受電コイル１４は、導電材料の外装体１１と、その上方の導電材料のプレート１２との間に配置されており、本実施の形態では、三脚座１２ｂを中心として、三脚座１２ｂの周囲を取り巻くように配置されている。
【００３２】
受電コイル１４は、図５では略円状に巻かれているが、充電池を充電するための十分な起電力を、充電器１６で発生させる磁界に基づいて生じさせることができるのであれば、楕円状、あるいは四角状等の他の形状としてもよい。
【００３３】
また、同様の理由により、受電コイル１４の巻き方向に関しても、制約を受けることはない。
【００３４】
本実施の形態によれば、図示しない撮像装置１内部のＩＣや撮像素子３への磁気ノイズはプレート１２、あるいは、外装体１１のリブ１１ａによって遮蔽される構成となっている。
【００３５】
この構成により、受電コイル１４から発生する磁気ノイズを考慮して、磁気ノイズの影響を受けやすい部品と、受電コイル１４との離間距離を大きくする必要がなく、撮像装置１の小型化や撮像装置１内部の部品レイアウトの自由度向上にも寄与する。
【００３６】
図６は、図３に示す撮像装置の底面付近の断面図、図７は、図６の要部拡大図である。
【００３７】
図６において、プレート１２と外装体１１とが作る空間を、受電コイル１４の配線空間としている。
【００３８】
このとき、プレート１２が受電コイル１４の周囲を覆う構成とすることにより、受電コイル１４から発生する磁気ノイズを撮像装置１内部に対して、遮蔽することが可能である。
【００３９】
また、外装体１１も受電コイル１４の周囲を覆う構成とすることにより、受電コイル１４から発生する磁気ノイズを撮像装置１内部に対して、遮蔽することが可能である。
【００４０】
即ち、本実施の形態では、受電コイル１４の周囲を、外装体１１とプレート１２のいずれか一方または両方で遮蔽するようにする。
【００４１】
さらに、図７に示すように、プレート１２と外装体１１に設けられたリブ１１ａとの隙間から、受電コイル１４が発生する磁気ノイズが撮像装置１内部に漏れることのないよう、外装体１１に設けられたリブ１１ａの外側をプレート１２で覆う構成としている。
【００４２】
このことにより、磁気ノイズをより効率よく遮蔽することが可能となり、撮像装置１内部への磁気ノイズによる悪影響を軽減することが可能となる。
【００４３】
また、プレート１２を撮像装置１内部の部材に固定するためのネジ穴１２ｃを設ける位置は、リブ１１ａの外側をプレート１２が覆う領域の外側とすることで、ネジ穴１２ｃから漏れ出る磁気ノイズも軽減できる。
【００４４】
図８は、複数の受電コイル１４ａ、１４ｂを有する撮像装置の底面付近の断面図である。
【００４５】
図４〜図６では、受電コイル１４を三脚座１２ｂの周囲を取り巻くように１個配置した構成を示したが、受電コイル１４を複数配置してもよい。図８では、三脚座１２ｂの周囲に複数個の受電コイル１４ａ、１４ｂを配置する構成としている。
【００４６】
また、撮像装置１が充電器１６に載置されたときの送電コイル１８と受電コイル１４との間隔は狭い方が、効率よく充電器１６から撮像装置１へ電力供給を行うことができるので、電力供給の観点からは、撮像装置１の外装体１１の厚さが薄いほうが望ましい。
【図面の簡単な説明】
【００４７】
【図１】充電器の概略斜視図である。
【図２】本発明の実施の形態に係る撮像装置の正面側からの外観斜視図である。
【図３】本発明の実施の形態に係る撮像装置の背面側からの外観斜視図である。
【図４】図３における三脚座１２ｂ付近の構成を示す撮像装置内部側からの斜視図である。
【図５】図４におけるプレート１２の下部の構成を示す撮像装置内部側からの斜視図である。
【図６】図３に示す撮像装置の底面付近の断面図である。
【図７】図６の要部拡大図である。
【図８】複数の受電コイル１４ａ、１４ｂを有する撮像装置の底面付近の断面図である。
【符号の説明】
【００４８】
１  撮像装置
２  レリーズ釦
３  撮像素子
１１  外装体
１１ａ  リブ
１１ｂ  穴
１２  プレート
１２ｂ  三脚座
１２ｃ  ネジ穴
１３  収容口
１４  受電コイル
１４ａ、１４ｂ  受電コイル
１６  充電器
１７  ＡＣ―ＡＣコンバータ
１８  送電コイル
１９  ＣＰＵ
２０  ソケット
【図１】
2010079017.tif 000003
【図２】
2010079017.tif 000004
【図３】
2010079017.tif 000005
【図４】
2010079017.tif 000006
【図５】
2010079017.tif 000007
【図６】
2010079017.tif 000008
【図７】
2010079017.tif 000009
【図８】
2010079017.tif 000010